(57)【要約】【課題】個人あるいはグループメンバー由来の生体材料を原料とした個人対応型の生体記念品を的確に提供することを可能とする。【解決手段】個人、あるいはグループ、あるいはそれらの代理人からヒト生体由来物質の送付連絡と加工依頼の注文とを受信するステップ、送付されてきたヒト生体由来物質の構成成分を分析するための指示を出すステップ、受信した注文と送付されてきたヒト生体由来物質から、生体記念品を作成するための製造条件を設定するステップ、その製造条件によって生体記念品を作成するための指示を出すステップ、及び、作成された生体記念品を本人、あるいはグループ、あるいは代理人、あるいは契約された販売機関や購入者へ送付するための指示を出すステップ、を含むことを特徴とする生体記念品の作成・販売方法である。【選択図】　なし【特許請求の範囲】
【請求項１】
個人、あるいはグループ、あるいはそれらの代理人からヒト生体由来物質の送付連絡と加工依頼の注文とを受信するステップ、送付されてきたヒト生体由来物質の構成成分を分析するための指示を出すステップ、受信した注文と送付されてきたヒト生体由来物質から、生体記念品を作成するための製造条件を設定するステップ、その製造条件によって生体記念品を作成するための指示を出すステップ、及び、作成された生体記念品を本人、あるいはグループ、あるいは代理人、あるいは契約された販売機関や購入者へ送付するための指示を出すステップ、を含むことを特徴とする生体記念品の作成・販売方法。
【請求項２】
請求項１の方法において、さらに、送付されてきたヒト生体由来物質に登録記号を付すステップ、登録記号と関連付けてヒト生体由来物質の保存のための指示を出すステップ、及び、登録番号を本人、あるいはグループ、あるいは代理人に送信するステップを含む生体記念品の作成・販売方法。
【請求項３】
請求項１又は２の方法において、生体記念品の作成のための指示を出す前に、生体記念品の試供品を作成するための指示を出すステップ、試供品を本人、あるいはグループ、あるいは代理人へ送付するための指示を出すステップ、本人、あるいはグループ、あるいは代理人の評価結果を受けるステップ、及び、評価結果を基に製造条件を見直すステップを含む生体記念品の作成・販売方法。
【請求項４】
請求項１〜３のいずれかの方法において、さらに、ヒト生体由来物質成分の分析結果を記憶するステップを含む生体記念品の作成・販売方法。
【請求項５】
請求項１〜４のいずれかの方法において、さらに、本人、あるいはグループ、あるいは代理人からの提供したヒト生体由来物質の保存状況の問合わせを受けるステップ、問合わせ内容とヒト生体由来物質保存データとを照合するステップ、及び、照合結果に基づく情報を本人、あるいはグループ、あるいは代理人に連絡するステップを含む生体被覆材の作成・販売方法。
【請求項６】
請求項１〜５のいずれかの方法において、ヒト生体由来物質が本人あるいはグループ、あるいは代理人を通して、毛髪、体毛、爪に加え、血清、血漿などの血液成分を含む生体記念品の作成・販売方法。
【請求項７】
請求項１〜６のいずれかの方法において、生体記念品が、生あるいはそれに近い状態で使用する場合、本人あるいはグループのインホームドコンセントを取得するステップを含む生体記念品の作成・販売方法。
【発明の詳細な説明】
【０００１】
【発明の属する技術分野】
この発明は、生体由来物質を企業や委託機関に委ね、企業や委託機関は個人あるいはグループレベルでの有効成分の分離後の保存を行い、本人、あるいはグループ、あるいは代理人のニーズに応え、本人あるいはグループメンバー自身の生体原材料を含む加工品、特に各個人に適応した生体記念品を加工・生産し、インターネットや電話通信といった双方向電子システムを利用して、本人、あるいはグループ、あるいは代理人、あるいは消費者の要望に的確かつ迅速に応えた販売を行うシステムに関するものである。
【０００２】
【従来の技術】
ギフト・プレゼント商品の中で、個人、あるいはグループとの密接な親近感をもつ品物は、直筆の書画、サイン入りグッズや書籍、生写真などは作られ販売されている。また、本人が愛用したり、身につけていた衣装、時計、指輪や腕輪といった装飾品、小物類、家具、自動車、二輪車などは付加価値をもった商品として販売されている。しかし、毛髪、爪、血液といった生体由来の物質を原材料の一部あるいは全部とした記念品やギフト・プレゼント商品の作製は希である。また、確実に本人、あるいはグループ由来である条件を満たすことやこの種の受注配送の販売方法も確立されていない。
【０００３】
【発明が解決しようとする課題】
今までの親密感が強い記念品やプレゼントは、本人あるいはグループ自ら作成したセーター、マフラー、花、野菜、クッキー、チョコレート、料理といった類が知られている。これらはお手製といった意味では心温まる品であるが、熟練を要する点など作製者にとっては、時間的及び精神・肉体的に大きな負担となることが多かった。次に、親密感が強い記念品やプレゼントとして本人あるいはグループが使用した道具や小物類、着用したハンカチ、帽子、衣服などがあるが、これは数に限界がある。また、写真、似顔絵、肖像画、パンフレットは外面的な要素を強く示しているのみである。一方、本人あるいはグループが創作した品物は外面性に加え内面性も表現されているが、数に限界があるのに加え遺族やファンにとっては本当にほしい種類の製品ではないことが多い。生体記念品は、本人、あるいはグループが今まで破棄していた生体材料などを使用するため負担が少なく、委託機関が作製するため作製の負担はないのに関わらず、さらに、親密感が強くかつ顧客が求める記念品やギフト・プレゼント商品が作製できる点で非常に優れている。
【０００４】
【課題を解決するための手段】
本発明は個人、あるいはグループ、あるいは代理人と委託機関及び受取人あるいは消費者の間を双方向電子システムを構築し、本人あるいはグループメンバーの有効物質を含む製品を本人、あるいはグループ、あるいは代理人、あるいは消費者のニーズを的確に対応し保管・生産し、販売するため、本人あるいはグループとの強い親近感を有する製品を提供することを可能とする。特に、歌手、俳優、スポーツ選手、作家、政治家などの有名人へのファン、サポーター、支持者などへの提供のみならず、高齢者、危険度の高い職業の就労者、長期間不在する人、死や不治の病の告知を受けた人たちを対象として、遺族、友人、知人などに本人由来の生体記念品を供給し、一体感、収集満足感、充実感、思い出、癒しを与えることを可能とする双方向の電子システムを利用した販売方法である。
【０００５】
即ち、本発明の生体記念品の作成・販売方法は、本人、あるいはグループメンバー、あるいは代理人からヒト生体由来物質の送付連絡と加工依頼の注文とを受信するステップ、送付されてきたヒト生体由来物質成分を分析するための指示を出すステップ、受信した注文と送付されてきたヒト生体由来物質の成分分析結果に基づき、ヒト生体由来物質に適合する生体記念品を作成するための製造条件を設定するステップ、その製造条件によって生体記念品を作成するための指示を出すステップ、及び、作成された生体記念品及びインホームドコンセントに関する書類を本人、あるいはグループ、あるいは代理人、あるいは消費者へ送付するための指示を出すステップ、を含む方法である。
この本発明法は、さらに、送付されてきたヒト生体由来物質に登録記号を付すステップ、登録記号と関連付けてヒト生体由来物質の保存のための指示を出すステップ、及び、登録番号を本人、あるいはグループ、あるいは代理人に送信するステップを含むことが好ましい。
生体記念品の作成のための指示を出す前に、生体記念品の試供品を作成するための指示を出すステップ、生体記念品の試供品を本人、あるいはグループ、あるいは代理人へ送付するための指示を出すステップ、本人、あるいはグループ、あるいは代理人の評価結果を受けるステップ、及び、評価結果を基に製造条件を見直すステップを含むことが好ましい。
さらに、ヒト生体由来物質の構成成分の分析結果を記憶するステップを含むことが好ましい。
さらに、本人、あるいはグループ、あるいは代理人からのヒト生体由来物質の保存状況の問合わせを受けるステップ、問合わせ内容とヒト生体由来物質保存データとを照合するステップ、及び、照合結果に基づく情報を本人、あるいはグループ、あるいは代理人に連絡するステップを含むことが好ましい。
【０００６】
【発明の実施の形態】
図１で説明すると、本人、あるいはグループ、あるいは代理人は委託機関に提供するシステムや製品の内容をインターネット、パンフレットなどで調べ、自己の毛髪、体毛、爪あるいは血液を責任をもって送付しかつ電子システムを利用し発信する。血液の場合は医療機関で採血後、安全性を確認してから送付する。委託機関は本人、あるいはグループ、あるいは代理人へ試料の受領と注文内容の確認の連絡を行い、登録後さらに登録記号を本人、あるいはグループ、あるいは代理人に電子システムを用いて送信する。本人、あるいはグループ、あるいは代理人の指示に従い分析を行い、診断カルテを作成しコンピュータに保存、試料段階での保管、有効成分分離後の段階での保管、製品加工した後での保管を委託機関は行う。本人、あるいはグループ、あるいは代理人は、製品の色、大きさ、材質、価格との整合性や自己あるいはグループのイメージとの適合性を調べるため、試供品の試作を依頼することができる。このためにも、この双方向電子システムを利用する。また、積極的なマーケティングを行い、消費者からの要望を本人、あるいはグループ、あるいは代理人に知らせる。本人、あるいはグループ、あるいは代理人からの着信内容にもとづき、保存試料や保存してある有効成分からユーザーの要望に応えた製品を作り提供する。このため、双方向電子システムを利用することにより安全性が高くより本人、あるいはグループメンバーの要望に合致した製品を迅速かつ的確に作り出し提供することができる。製品は、本人、あるいはグループ、あるいは代理人に送付する場合と、本人、あるいはグループ、あるいは代理人が認め契約を結んだ販売機関を通じて販売あるいは委託機関自体が消費者に直接的な販売をおこない、契約内容に基づいた販売利益の一部を本人、あるいはグループ、あるいは代理人に支払う。
【０００７】
今までの記念品やお土産は、写真、似顔絵、肖像画、パンフレットといった品物の他に本人あるいはグループが表現あるいは創作した著書、自伝、詩集、短歌集、俳句集、絵画、ポスター、サイン、歌、音楽、小物類といった芸術、文化を備えた作品、あるいは本人あるいはグループが使用した道具や小物類、着用した衣服や帽子などが主であった。写真、似顔絵、肖像画、パンフレットは外面的な要素を強く示しているのみである。一方、本人あるいはグループが創作した品物は外面性に加え内面性も表現されているが、遺族やファンにとっては一体感としては完全とはいえないものが多い。
戦争あるいは戦争地域への派遣される出征兵士や民間人、長期間の出張や留学などで家族と離れて暮らす人たちが毛髪や爪などを残す例は、過去に特に見られた。これらの生体物質は生々しさ、宗教上、慣習上の抵抗が強く、広く受け入れられていない。ところが、本人あるいはグループ由来の生体記念品は本人あるいはグループの許可さらにインホームドコンセントを得て、本人あるいはグループ由来の生体物質と従来製品とのハイブリッド型製品を作製し、親族とその関係者、ファンなどの一般の人々が受け入れやすいように工夫しており好ましい。
毛髪、爪、体毛、血液はある程度の長期保存が可能であり、双方向電子システムを利用し迅速に生体記念品を生産、保管、提供、販売ができる。毛髪、爪、体毛、血液は生体記念品としてのみばかりか、疾患、怪我、火傷の場合において、個人対応の治療用の被覆剤や個人対応の化粧品、個人対応の抗アレルギー製品、個人対応の日用雑貨品の原材料にもなりえるため、さらに好ましいシステムである。また、含まれている遺伝子を解析することによる体質や能力の一部も分析できるため、総合的なライフ支援システムをも構築できるため非常に優れている。
本発明における「生体記念品」は、本人、あるいはグループメンバー由来の毛髪、爪、血液などを原料として作製した生体記念品以外に本人、あるいはグループメンバー由来の有効成分を含む化粧品、創貼付剤、生体被覆剤などの医薬部外品類及び日用雑貨品に加え軟膏用材料や本人、あるいはグループメンバー由来の有効成分を含む人工皮膚、抗アレルギー材料や床ずれ治療材料も含む意味である。
本発明において、ヒト生体由来物質は、ヒトやペットを含む動物からの毛髪、爪、体毛、角、歯、血液で代表される。
【０００８】
【実施例】
以下の実施例により、本発明をさらに詳細に説明する。しかし、本実施例により、本発明の有効性が、限定解釈されるものでない。
〔実施例１〕
歌手、俳優、芸能人、モデル、芸術家、作家、政治家などの有名人は顧客本人、あるいはグループ、あるいは代理人が委託機関に毛髪、体毛、爪を数百〜数ｇあるいは血液を数ミリリットル〜数百ミリリットル送付するとともにその連絡及び製品の注文を電子システムを利用し行い、委託機関はユーザーの登録及び送付物質に登録記号を付け、本人、あるいはグループ、あるいは代理人に登録記号を発信する。委託機関は顧客本人、あるいはグループ、あるいは代理人が電子システムを利用した送金と注文内容の確認後、直ちに顧客本人、あるいはグループ、あるいは代理人の要望に応え、その状態での保管、あるいは、毛髪、爪、血液などから蛋白質変性剤、還元剤などを使用して蛋白質成分の分取を行いこの段階での保管、あるいは、これらを材料としたフィルム、繊維、紙にコーティング加工、合成高分子や金属との複合体とした段階での保管、さらに進めて、写真、写真立て、シール、カード、筆記道具、キーホルダー、携帯電話などのストラップ、ハンカチ、人形、ぬいぐるみ、肌着、スカーフ、タオル、本、表紙などの本の一部、色紙、写真台紙、チケット、アルバム、壁飾り、カレンダー、しおり、下敷き、メモ帳、仏具、慶弔用品、時計、腕輪、ネックレス、首輪、ファンデーションなどの化粧品といった各種生体記念品への加工・製造後の保管を行う。これらの製品は、本人、あるいはグループ、あるいは代理人の許可を得て、消費者へ直接的な販売をおこなったり、本人、あるいはグループ、あるいは代理人の許可を得た販売機関へ販売する。
〔実施例２〕
４０歳男性（夫）及び３５歳女性（妻）１０歳女性（子供）から毛髪を各約３ｇを採集して、委託機関に送付する。さらに、この男性は、夫婦の写真、子供の写真、家族の写真、メッセージを送り、生体記念品が結婚記念日に妻、そして、子供の誕生日に子供の元に届くように契約する。委託機関は、これら毛髪を尿素、チオ尿素、２−メルカプトエタノールなどの変性剤を含む溶液で蛋白質を抽出する。これらを単独あるいは２人あるいは３人の抽出液を混合後、メッセージ用の色紙、写真貼り付け用紙、布製の写真立てを作製する。次に、指定されたメッセージをメッセージ用の色紙にプリントし、夫婦の写真、子供の写真、家族の写真を写真貼り付け用紙に貼り、毛髪蛋白質入り布製の写真立てに入れプレゼントを完成させる。指定された日時にプレゼントとして、妻や子供に送付する。
〔実施例３〕
２４歳アイドル系の歌手から毛髪３ｇ、爪を約０．３ｇを採集する。これらを尿素、チオ尿素、２−メルカプトエタノールなどの変性剤を含む溶液で蛋白質を抽出する。水に透析後、得られた毛髪水溶液をパルプチップなどに混ぜ、紙漉法などにより、そのアイドル系歌手の毛髪蛋白質入り紙を作る。それを材料としたコンサートチケットを作製し販売する。コンサート会場での入場時にチケットの半券はファンが持ち帰れるようにする。また、得られた爪水溶液から、そのアイドル系歌手の蛋白質入り写真、色紙、本を作り、コンサート中、半券に残されている席番号や記号による抽選やゲームを行い、その当選者へのプレゼントとして配付する。ファンクラブの会やサイン会を盛り上げるグッズとして使用する。また、コンサート会場やサイン会などのイベント時の直接的な販売を行う。
〔実施例４〕
子供がいない夫婦に飼育されている３歳の犬を美容院に連れて行ったとき、その体毛を回収する。その夫はこれと犬の写真を委託機関に送付し、保管を依頼する。委託機関は送付されてきた体毛に登録記号を付け保管しておく。その犬が交通事故や病気で死亡した後、夫は死亡した犬の体毛を使い、妻の好きな犬と熊のぬいぐるみの作製を委託機関に依頼する。犬と熊、特に犬のぬいぐるみの体毛及び布は、死亡した犬の体毛あるいは体毛から抽出した蛋白質を原材料として、生前の犬とそっくりに作られている。妻は子供同然に可愛がっていた犬のため、その嘆きは深かった。夫は妻の誕生日あるいは犬の命日といった記念すべき日に合わせ、妻との心の絆を強める品としてプレゼントする。
【０００９】
【発明の効果】
毛髪、爪の両方と欠落している人は非常に少なく、血液に至っては生きている限り人体に含まれている。すなわち、全ての人が生体記念品を作ることが可能といえる。血液においても、各種検査のため医療機関で実施されている数ミリリットル程度採血した血液を原材料とすることが可能なため、本人、あるいはグループメンバーの負担は極めて軽い点で好ましい。これら原材料を使用して親密感の強い記念品やギフト・プレゼント商品が、本人、遺族、友人、知人あるいはファンなどの顧客の好みでオーダーメイド的に選択でき、作製・販売できるため非常に優れている。
【図面の簡単な説明】
【図１】本発明の一実施態様におけるステップを示す説明図である。
【図１】
2004054857.tif 000002